(57)【要約】【課題】光源オフ後の蓄光体の燐光持続時間を長くでき、ＬＥＤ光源が発光している時に蓄光体の燐光色が見えることなくＬＥＤ光源が放つ光によって直接照明する照明モードを設定することができるようにする。【解決手段】、ＬＥＤチップ２４と、ＬＥＤチップ２４の光の出射方向前側に配置され、光の一部を透過する半透明部２０と、ＬＥＤチップ２４のビーム光束領域外において半透明部２０よりの反射光を受光し、半透明部２０に向けて光を放つ蓄光体２８とを設ける。【選択図】図２
2013218828.tif 000002
【特許請求の範囲】
【請求項１】
ＬＥＤ光源と、
前記ＬＥＤ光源の光の出射方向前側に配置され、光の一部を透過する半透明層と、
前記ＬＥＤ光源のビーム光束領域外において前記半透明層よりの反射光を受光し、前記半透明層に向けて光を放つ蓄光体と、
を有する照明装置。
【請求項２】
前記ＬＥＤ光源と、前記半透明層と、前記蓄光層と、前記ＬＥＤ光源に通電を行うための接触式あるいは非接触式の受電端子とを有する筒状のアウタケースと、
前記アウタケースを抜き差し可能に保持し、前記アウタケースの受電端子に給電を行うための接触式あるいは非接触式の給電端子を有するスタンドとを有する請求項１に記載の照明装置。
【請求項３】
筒状のアウタケースを有し、前記アウタケースの横断面で見て一方の側に前記ＬＥＤ光源と前記蓄光体とが配置され、他方の側に前記半透明層が配置されている請求項１に記載の照明装置。
【請求項４】
前記アウタケースを蛍光灯用チューブとしてＬＥＤ蛍光灯をなす請求項３に記載の照明装置。
【請求項５】
一方の面に前記ＬＥＤ光源と前記蓄光体とを配列された基板を有し、前記基板の一方の面の前方に前記半透明層が配置されている請求項１に記載の照明装置。
【発明の詳細な説明】
【技術分野】
【０００１】
本発明は、照明装置に関し、更に詳細には、ＬＥＤ光源と蓄光体とを具備した照明装置に関する。
【背景技術】
【０００２】
常夜灯や避難誘導灯等として用いられる照明装置（従来例１）として、透明な筒状のアウタカバーと、アウタカバー内に配置された導光板と、導光板の端面に対向して配置されたＬＥＤ光源と、アウタカバーの内面に沿って設けられた蓄光シートとを具備した照明装置が知られている（例えば、特許文献１）。
【０００３】
この照明装置では、通電によりＬＥＤ光源が放つ光が導光板に入射することによって導光板の表面が発光し、導光板表面からの光が蓄光体に照射されることにより蓄光（蓄光体に光エネルギを蓄えること）が行われ、電源オフや停電によってＬＥＤ光源が消灯（光源オフ）すると、蓄光済みの蓄光体の燐光（蓄光体が放つ光）によって照明が行われる。
【０００４】
携帯用照明装置（従来例２）として、一方の側が開口した筐体と、筐体の開口をシールドするように筐体に取り付けられた透明層と励起光反射層との多層体と、筐体内に配置されたＬＥＤ等による光源と、筐体の内面に沿って設けられた層状の蓄光体とを有する携帯用照明装置が知られている（例えば、特許文献２）。
【０００５】
この携帯用照明装置では、通電により光源が放つ光を励起光とし、励起光が直接および励起光反射層で反射して蓄光体に入射することにより蓄光体の蓄光が行われ、蓄光した蓄光体が放つ光、つまり燐光は、励起光反射層を透過して外部へ放射し、照明を行う。
【先行技術文献】
【特許文献】
【０００６】
【特許文献１】特開２００８−２８８１８３号公報
【特許文献２】特開２０１１−２４３４２８号公報
【発明の概要】
【発明が解決しようとする課題】
【０００７】
従来例１の照明装置では、蓄光シートは、裏面（導光板側の面）に光を入射して蓄光し、表面（アウタカバー側の面）より燐光を放つことになるため、透光性を有している必要があり、厚くすることができない。このため、蓄光シートの蓄光容量が制限され、光源オフ後の蓄光シートの燐光持続時間を長くできない。また、通電時にＬＥＤ光源が放つ光によって照明が行われるようにすると、通電時の照明として十分な照度が得られるよう、蓄光シートを更に薄くしたり、透明シートを母材とする蓄光シートの蓄光部の配置を市松模様やドット模様にし、ＬＥＤ光源が放つ光の一部が蓄光部を経ずに透明シートを透過してアウタカバーより外部へ放射されるようにしたりする必要がある。しかも、この照明装置では、ＬＥＤ光源が発光している時も蓄光シートの蓄光部の燐光色が見え、意匠的に好ましくない。
【０００８】
また、この照明装置では、アウタカバーの後半部にのみ蓄光シートを配置し、アウタカバーの前半部は蓄光シートがない光放射部とすることが考えられる。しかし、この場合には蓄光シートの前方に導光板が存在し、蓄光シートの燐光は導光板を透過して光放射部へ向かわなくてはならなくなる。このため、光損失が大きく、蓄光シートの燐光による照明が効率よく行われない。
【０００９】
従来例２の携帯用照明装置では、ＬＥＤ等による光源が放つ光は、蓄光体の蓄光を行う励起光のみに用いられ、電源オン時に光源が放つ光によって直接照明する照明モードを設定することができず、電源オン時に光源自体の発光色による照明を時間制限なく行うことができない。また、この携帯用照明装置では、光源が放つ光（励起光）は反射して蓄光体が放つ燐光は透過する光特性を有する特殊な励起光反射層を必要とする。
【００１０】
本発明が解決しようとする課題は、光源オフ後の蓄光体の燐光持続時間を長くでき、ＬＥＤ光源が発光している時に蓄光体の燐光色が見えることなくＬＥＤ光源が放つ光によって直接照明する照明モードを設定することができ、しかもＬＥＤ光源の防眩と蓄光体の蓄光とが部品点数を増やすことなく行われるようにすることである。
【課題を解決するための手段】
【００１１】
本発明による照明装置は、ＬＥＤ光源（２４、６８、８４）と、前記ＬＥＤ光源（２４、６８、８４）の光の出射方向前側に配置され、光の一部を透過する半透明層（２０、６２、８０）と、前記ＬＥＤ光源（２４、６８、８４）のビーム光束領域外において前記半透明層（２０、６２、８０）よりの反射光を受光し、前記半透明層（２０、６２、８０）に向けて光を放つ蓄光体（２８、３４、７０、８６）とを有する。
【００１２】
この構成によれば、蓄光体（２８、３４、７０、８６）が透光性を必要としないので、蓄光体を厚くすることができ、光源オフ後や停電時の蓄光体（２８、３４、８６）の燐光持続時間を長くできる。しかも、反射光によって蓄光体（２８、３４、７０、８６）の蓄光が行われ、半透明層（２０、６２、８０）に蓄光物質が存在しないので、通電時のＬＥＤ光源（２４、６８、８４）による照明が蓄光物質によって阻害されることなく十分な照度をもって行われる。また、半透明層（２０、６２、８０）に蓄光物質が存在しないことにより、ＬＥＤ光源が発光している時に蓄光体の燐光色が見えることなくＬＥＤ光源が放つ光によって直接照明する照明モードを設定することができる。しかも、半透明層（２０、６２、８０）によってＬＥＤ光源（２４、６８、８４）の防眩がなされ、防眩と蓄光体の蓄光とが部品点数を増やすことなく行われる。
【００１３】
本発明による照明装置は、一つの実施形態として、前記ＬＥＤ光源（２４）と、前記半透明層（２０）と、前記蓄光層（２８）と、前記ＬＥＤ光源（２４）に通電を行うための接触式あるいは非接触式の受電端子（２６）とを有する筒状のアウタケース（１８）と、前記アウタケース（１８）を抜き差し可能に保持し、前記アウタケース（１８）の受電端子（２６）に給電を行うための接触式あるいは非接触式の給電端子（５２）を有するスタンド（４０）とを有する。
【００１４】
この構成によれば、アウタケース（１８）をスタンド（４０）に装着した状態では、ＬＥＤ光源（２４）の発光による照明と蓄光層（２８）の蓄光を行うことができ、アウタケース（１８）をスタンド（４０）より取り外した状態では、無電力状態で蓄光層（２８）が燐光する。
【００１５】
本発明による照明装置は、好ましくは、筒状のアウタケース（１８）を有し、前記アウタケース（１８）の横断面で見て一方の側に前記ＬＥＤ光源（２４）と前記蓄光体（２８）とが配置され、他方の側に前記半透明層（２０）が配置されている。
【００１６】
この構成によれば、ＬＥＤ光源（２４）による照明が蓄光体（２８）によって邪魔されることがなく、しかも、半透明層（２０）で反射したＬＥＤ光源（２４）の光による蓄光体（２８）の蓄光が良好に行われる。
【００１７】
本発明による照明装置は、好ましくは、一方の面に前記ＬＥＤ光源（６８、８４）と前記蓄光体（７０、８６）とを配列された基板（６６、８２）を有し、前記基板（６６）の一方の面の前方に前記半透明層（６２、８０）が配置されている。
【００１８】
この構成によれば、ＬＥＤ光源（６８、８４）による照明が蓄光体（２８）によって邪魔されることがなく、しかも、半透明層（２０）で反射したＬＥＤ光源（２４）の光による蓄光体（２８）の蓄光が良好に行われる。
【発明の効果】
【００１９】
本発明による照明装置によれば、蓄光体が透光性を必要としないので、蓄光体を厚くすることができ、光源オフ後や停電時の蓄光体の燐光持続時間を長くできる。しかも、反射光によって蓄光体の蓄光が行われ、半透明層に蓄光物質が存在しないので、通電時のＬＥＤ光源による照明が蓄光物質によって阻害されることなく十分な照度をもって行われる。
【図面の簡単な説明】
【００２０】
【図１】本発明による照明装置の一つの実施形態を示す斜視図。
【図２】本実施形態による照明装置の横断面図。
【図３】本発明による照明装置の他の実施形態を示す横断面図。
【図４】本発明による照明装置の他の実施形態を示す横断面図。
【図５】本発明による照明装置の他の実施形態を示す横断面図。
【図６】本発明による照明装置の他の実施形態を示す縦断面図。
【発明を実施するための形態】
【００２１】
以下に、本発明による照明装置の一つの実施形態を、図１、図２を参照して説明する。
【００２２】
本実施形態による照明装置は、照明装置本体１０とスタンド４０とを有する。
【００２３】
照明装置本体１０は、円筒体１２と、円筒体１２の端部を閉じる円盤状の上端板１４および下端板１６とにより構成された密閉（水密）構造のアウタケース１８を有する。アウタケース１８は、ポリカーボネイト樹脂やアクリル樹脂等により構成され、横断面で見て円筒体１２の一方の側、つまり、円筒体１２の前側に、上下に長い円弧面による半透明部２０を有し、他の部分は不透明着色等によって不透明（光を透過しないこと）になっている。
【００２４】
半透明部２０は、光放射部（照明部）であり、後述するＬＥＤチップ２４が放つ光ａの一部を透過し、残りを円筒体１２内に反射し且つ前方より見てＬＥＤチップ２４の発光源を防眩のために不可視化、つまりＬＥＤチップ２４の発光源を直視できないようにする光学的特性を有し、白色着色等によって乳白色になっている。
【００２５】
円筒体１２内の後側中央にはＬＥＤ基板２２が取り付けられている。ＬＥＤ基板２２は、半透明部２０の上下寸法と同じ上下寸法を有する帯状をなし、半透明部２０と同じ高さ位置（同じ上下範囲）にあって半透明部２０に対向している。ＬＥＤ基板２２の表面（前側の面）には上下方向に等間隔をおいて直列に配置された複数個の白色発光のＬＥＤチップ２４が取り付けられている。ＬＥＤチップ２４は表面実装型ＬＥＤであってよく、この複数個のＬＥＤチップ２４がＬＥＤ光源をなす。ＬＥＤ基板２２の裏面（後側の面）には、図示を省略しているが、一般的なＬＥＤ駆動回路が実装されている。
【００２６】
これにより、半透明部２０は、ＬＥＤチップ２４の光の出射方向前側に配置されたことになり、ＬＥＤチップ２４が放つ光ａの一部を透過し、残りを円筒体１２内に反射する。
【００２７】
アウタケース１８の底部をなす下端板１６にはＬＥＤ基板２２のＬＥＤ駆動回路に電力を供給するための、つまり、ＬＥＤチップ２４に通電を行うための受電端子２６が設けられている。なお、受電端子２６をＬＥＤ基板２２のＬＥＤ駆動回路に電気的に接続する配線は図示を省略している。
【００２８】
ＬＥＤ基板２２の円筒体１２に沿う両側にはシート状の蓄光体２８が貼り付けられている。蓄光体２８は、アルミン酸ストロンチウム等の蓄光物質を含有した蓄光体をシート状に成形したものであり、ＬＥＤ基板２２の側縁と半透明部２０の側縁との間に円筒体１２の内周面に沿って設けられて円筒体１２の内周面に倣った円弧面をなしている。この蓄光体２８の配置は、ＬＥＤチップ２４のビーム光束領域外において半透明部２０からの反射光ｃを受光し、半透明部２０に向けて光（燐光）を放つことができる配置である。
【００２９】
ここで、ビーム光束領域は、光源の配光曲線において最大光度の１／２に等しい値になる２方向がなすビーム開き角（配光角）θ内の光束領域であると定義する。
【００３０】
スタンド４０は、卓上等に置かれる基部４２と、基部４２より上方に突出して形成された上方開口の円筒部４４とを有する。
【００３１】
基部４２は電圧変換部や整流回路等を含む電源回路（図示省略）を内蔵している。基部４２には電源回路を外部の商用交流電源に接続するためのプラグ４８付きの電源コード４６が接続されている。基部４２にはオン−オフ式の電源スイッチ５０が取り付けられている。
【００３２】
円筒部４４は、アウタケース１８の下部を抜き差し可能に挿入され、アウタケース１８を基部４２に対して垂直状態で保持する。円筒部４４の底部（基部４２の上壁）には基部４２の電源回路に接続された給電端子５２が設けられている。給電端子５２は、円筒部４４内に挿入されたアウタケース１８の受電端子２６と整合し、接触式あるいは非接触式で受電端子２６に給電を行う。
【００３３】
プラグ５８を商用交流電源のコンセント（アウトレット）に差し込み、スタンド４０の円筒部４４に照明装置本体１０のアウタケース１８を挿入し、電源スイッチ５０をオンすると、給電端子５２と受電端子２６との導通のもとにＬＥＤ基板２２のＬＥＤ駆動回路に電力が供給される。これにより、ＬＥＤチップ２４が発光し、光ａを半透明部２０へ向けて放つ。このＬＥＤチップ２４の光ａの一部は半透明部２０を透過して半透明部２０の前方へ放射されるＬＥＤ照明光ｂとなる。これにより、電源オン時、つまり、ＬＥＤチップ２４が発光している時には、半透明部２０が白く光ったＬＥＤ照明面になり、卓上型の一般的なＬＥＤ照明機器と同等のＬＥＤ照明機器となる。
【００３４】
半透明部２０は、ＬＥＤチップ２４の発光源を直視できないようにする不透明度の光学的特性を有し、ＬＥＤチップ２４の発光源を不可視化するから、使用者が半透明部２０を見ても輝度が高いＬＥＤ発光を眩しく感じることが回避される。このように、半透明部２０はＬＥＤチップ２４の発光の防眩層としても作用する。
【００３５】
半透明部２０に照射されたＬＥＤチップ２４の光ａのうち、半透明部２０を透過しなかった残りの光は、半透明部２０を反射部としてアウタケース１８内に反射する。この半透明部２０よりの反射光ｃは、直接あるいは半透明部２０で反射を繰り返して蓄光体２８に向かう。これにより、蓄光体２８は、半透明部２０よりの反射光ｃを受光し、含有している蓄光物質に光エネルギを蓄える蓄光が行われる。
【００３６】
電源スイッチ５０がオンからオフに切り替えられたことにより、あるいは停電によってＬＥＤチップ２４に対する通電が断たれると、ＬＥＤチップ２４は消灯する。ＬＥＤチップ２４が消灯した状態では、それまで蓄光されていた蓄光体２８による燐光が半透明部２０に向けて照射され、燐光が半透明部２０を透過することにより、半透明部２０が蓄光体２８を光源する燐光照明面となる。この燐光照明は、無電力で行われ、電力を消費しない常夜灯として好適である。また、燐光照明は、無電力で行われるから、照明装置本体１０をスタンド４０の円筒部４４より抜き出し、照明装置本体１０を懐中電灯のように持ち運び可能な照明機器としても使用できる。
【００３７】
本実施形態では、半透明部２０は、ビーム光束領域の全域よりＬＥＤチップ２４の光ａを受けるビーム開き角θに対応する展開角で円筒体１２の円周周りに展開しているので、ＬＥＤチップ２４の最大光度〜最大光度の１／２の光度によるＬＥＤ照明が、最大の照明面積をもって無駄なく行われることになる。しかも、蓄光体２８は、ＬＥＤ基板２２の配置部を除くビーム光束領域外の全域に亘って延在しているから、蓄光体２８の蓄光、燐光が、上述のＬＥＤ照明を阻害しない範囲内で最大になる。
【００３８】
これにより、ＬＥＤチップ２４による照明が蓄光体２８によって邪魔されることがなく、しかも、半透明部２０で反射したＬＥＤチップ２４の光による蓄光体２８の蓄光が良好に行われる。
【００３９】
なお、ＬＥＤ照明を重視したい場合には、蓄光体２８の展開範囲を本実施形態のものより小さくし、その分、半透明部２０の展開角を大きくすればよい。これとは逆に、燐光を重視したい場合には、蓄光体２８の展開範囲を本実施形態のものより大きくし、その分、半透明部２０の展開角を小さくすればよい。この場合、蓄光体２８の一部はＬＥＤチップ２４のビーム光束領域内の光ａによっても蓄光されることになる。
【００４０】
上述した実施形態による照明装置によれば、蓄光体２８は、半透明部２０に対向する表面に光を受けて蓄光し、同じ表面より燐光を放つから、透光性を必要とせずに厚くすることができる。これにより、蓄光体２８の蓄光容量が制限されることがなく、光源オフ後や停電時の蓄光体２８の燐光持続時間を長くできる。
【００４１】
また、照明発光面である半透明部２０が蓄光物質を含有していたり、半透明部２０に蓄光層が成層されていたりしないので、通電時のＬＥＤチップ２４によるＬＥＤ照明が蓄光物質に阻害されることなく十分な照度をもって行われる。また、ＬＥＤ照明の透光性のために透明シートを母材とする蓄光シートの蓄光部の配置を市松模様やドット模様にしたりする必要がなく、しかも、ＬＥＤチップ２４が発光している時に蓄光シートの燐光色が見えることがないので、意匠性を低下することもない。更に、半透明部２０によってＬＥＤチップ２４の防眩も行われるから、ＬＥＤチップ２４の防眩と蓄光体２８の蓄光とが部品点数を増やすことなく行われる。
【００４２】
半透明部２０は、乳白色によるものに限られることはなく、図３に示されているように、半透明部２０のアウタケース１８内側の表面にすりガラスのような拡散反射作用を有する梨面層３０が形成されていもよい。この場合には、拡散反射、つまり乱反射によって蓄光体２８へ向かう反射光の光量が増し、蓄光体２８の蓄光が短時間で効率よく行われるようになる。また、梨面により、ＬＥＤチップ２４の防眩作用も得られる。
【００４３】
次に、本発明による照明装置の他の実施形態を、図４を参照して説明する。なお、図４において、図２に対応する部分は、図２に付した符号と同一の符号を付けて、その説明を省略する。
【００４４】
この実施形態では、前述の実施形態の蓄光体２８に代えてＬＥＤ基板２２のＬＥＤチップ２４の配置部の両側に帯状の蓄光体３４が配置されている。これにより、アウタケース１８の横断面で見て一方の側（後側）にＬＥＤチップ２４と蓄光体３４とが配置され、他方の側（前側）に半透明部２０が配置される。
【００４５】
この場合、蓄光体３４は、ＬＥＤチップ２４の前方に生じる配光曲線領域Ｄ外にあり、半透明部２０よりの反射光ｃのみによって蓄光される。蓄光体３４がＬＥＤチップ６８の配光曲線領域Ｄ外にあることは、蓄光体３４がＬＥＤチップ６８本来の照明範囲を狭めたり、影を作ったりしないこと意味し、半透明部２０の展開角を３６０度に近い広角に設定することができる。
【００４６】
次に、本発明による照明装置の他の実施形態を、図５を参照して説明する。
【００４７】
この実施形態は、電球型の照明装置であり、切頭円錐形の樹脂製の不透明な基部６０と、基部６０の前側に設けられた乳白色ガラスやすりガラス等による半透明な椀状のバルブ部６２と、基部６０の後側に設けられたねじ口金６４とを有する。
【００４８】
基部６０には円盤状のＬＥＤ基板６６が取り付けられている。ＬＥＤ基板６６がバルブ部６２と対向する側（前側）の面には、複数個のＬＥＤチップ６８と蓄光体７０とが交互に格子状配置で複数個設けられている。
【００４９】
この実施形態では、通電時にはＬＥＤチップ６８が発光し、光ａをバルブ部６２へ向けて放つ。このＬＥＤチップ２４の光ａの一部はバルブ部６２を透過してバルブ部６２の前方へ放射されるＬＥＤ照明光ｂとなる。これにより、通電時には、バルブ部６２が光ったＬＥＤ照明面になり、電球型ＬＥＤ照明機器となる。
【００５０】
この場合も、バルブ部６２は、ＬＥＤチップ６８の発光源を直視できないようにする光学的特性を有し、ＬＥＤチップ６８の発光源を不可視化するから、使用者がバルブ部６２を見ても輝度が高いＬＥＤ発光を眩しく感じることが回避される。
【００５１】
バルブ部６２に照射されたＬＥＤチップ６８の光ａのうち、バルブ部６２を透過しなかった残りの光は、バルブ部６２を反射部としてＬＥＤ基板６６側に反射し、蓄光体７０に入射する。これにより、蓄光体７０がバルブ部６２よりの反射光ｃを受光し、蓄光が行われる。
【００５２】
この場合、蓄光体７０は、ＬＥＤチップ６８の配光曲線領域外にあるから、バルブ部６２よりの反射光ｃのみによって蓄光される。蓄光体７０がＬＥＤチップ６８の配光曲線領域外にあることは、蓄光体７０がＬＥＤチップ６８本来の照明範囲を狭めたり、影を作ったりしないことを意味する。
【００５３】
これにより、ＬＥＤチップ６８による照明が蓄光体７０によって邪魔されることがなく、しかも、バルブ部６２で反射したＬＥＤチップ６８の光による蓄光体７０の蓄光が良好に行われる。
【００５４】
スイッチオフや停電によりＬＥＤチップ６８に対する通電が停止されると、ＬＥＤチップ６８が消灯する。ＬＥＤチップ６８が消灯した状態では、それまで蓄光されていた蓄光体７０による燐光がバルブ部６２に向けて照射され、燐光がバルブ部６２を透過することによりバルブ部６２が蓄光体７０による燐光照明面となる。
【００５５】
この実施形態による照明装置でも、前述の実施形態と同様に、蓄光体７０が透光性を必要としないので、蓄光体７０を厚くすることができ、光源オフ後や停電時の蓄光体７０の燐光持続時間を長くできる。また、バルブ部６２に蓄光物質が存在しないので、通電時のＬＥＤチップ６８によるＬＥＤ照明が蓄光物質によって阻害されることなく十分な照度をもって行われる。
【００５６】
次に、本発明による照明装置の他の実施形態を、図６を参照して説明する。
【００５７】
この実施形態は、避難誘導灯やバックライト式看板（広告板）に対する適用例であり、避難誘導表示や看板・広告表示された前面板８０が、樹脂あるいはガラス製で、乳白色着色や梨面処理等による半透明な板材により構成されている。
【００５８】
前面板８０の後方（背面側）には間隔をおいてＬＥＤ基板８２が前面板８０と平行に配置されている。換言すると、ＬＥＤ基板８２の前方に半透明層をなす前面板８０がＬＥＤ基板８２と平行に配置されている。
【００５９】
ＬＥＤ基板８２が前面板８０と対向する側（前側）の面には、複数個のＬＥＤチップ８４と蓄光体８６とが交互に格子状配置で複数個設けられている。
【００６０】
この実施形態では、通電時にはＬＥＤチップ８４が発光し、光ａを前面板８０の裏面へ向けて放つ。このＬＥＤチップ８４の光ａの一部は、前面板８０を透過し、前面板８０を真裏からバックライト方式で照明する。
【００６１】
この場合も、前面板８０は、ＬＥＤチップ８４の発光源を直視できないようにする不透明度の光学的特性を有し、ＬＥＤチップ８４の発光源を不可視化するから、真裏からのバックライト照明であるにも拘わらず、使用者が前面板８０を見ても輝度が高いＬＥＤ発光を眩しく感じることが回避される。
【００６２】
前面板８０に照射されたＬＥＤチップ８４の光ａのうち、前面板８０を透過しなかった残りの光は、前面板８０を反射面としてＬＥＤ基板８２側に反射し、蓄光体８６に入射する。これにより、蓄光体８６が前面板８０よりの反射光ｃを受光し、蓄光が行われる。
【００６３】
この場合、蓄光体８６は、ＬＥＤチップ８４の配光曲線領域外にあるから、前面板８０よりの反射光ｃのみによって蓄光される。蓄光体８６がＬＥＤチップ８４の配光曲線領域外にあることにより、蓄光体８６がＬＥＤチップ８４本来の照明範囲を狭めたり、影を作ったりすることがない。
【００６４】
これにより、ＬＥＤチップ８４による照明が蓄光体８６によって邪魔されることがなく、しかも、前面板８０で反射したＬＥＤチップ８４の光による蓄光体８６の蓄光が良好に行われる。
【００６５】
スイッチオフや停電によりＬＥＤチップ８４に対する通電が停止されると、ＬＥＤチップ８４が消灯する。ＬＥＤチップ８４が消灯した状態では、それまで蓄光されていた蓄光体８６による燐光が前面板８０に向けて照射され、燐光が前面板８０を透過することにより前面板８０が燐光によって照明される。
【００６６】
この実施形態による照明装置でも、前述の実施形態と同様に、蓄光体８６が透光性を必要としないので、蓄光体８６を厚くすることができ、光源オフ後や停電時の蓄光体８６の燐光持続時間を長くできる。また、前面板８０に蓄光物質が存在しないので、通電時のＬＥＤチップ８４によるＬＥＤ照明が蓄光物質によって阻害されることなく十分な照度をもって行われる。
【００６７】
以上、本発明を、その好適形態実施例について説明したが、当業者であれば容易に理解できるように、本発明はこのような実施例により限定されるものではなく、本発明の趣旨を逸脱しない範囲で適宜変更可能である。
【００６８】
例えば、スタンド４０に電池ケースを設けることにより、外部電源によらずに、乾電池や再充電可能な電池を電源することにより、スタンド４０のコードレス化を図ることもできる。また、スタンド式でなく、照明装置本体１０に乾電池や再充電可能な電池をセットできる電池ケースを設けることにより、懐中電灯式に構成することもできる。また、本発明による照明装置はアウタケース１８と同等のものを蛍光灯用チューブとしてＬＥＤ蛍光灯として構成することもできる。
【００６９】
また、上記実施形態に示した構成要素は必ずしも全てが必須なものではなく、本発明の趣旨を逸脱しない限りにおいて適宜取捨選択することが可能である。
【符号の説明】
【００７０】
１０    照明装置本体
１２    円筒体
１８    アウタケース
２０    半透明部
２２    ＬＥＤ基板
２４    ＬＥＤチップ
２６    受電端子
２８    蓄光体
３０    梨面層
３２    半透明反射鏡層
３４    蓄光体
４０    スタンド
５２    給電端子
６０    基部
６２    バルブ部
６４    ねじ口金
６６    ＬＥＤ基板
６８    ＬＥＤチップ
７０    蓄光体
８０    前面板
８２    ＬＥＤ基板
８４    ＬＥＤチップ
８６    蓄光体
【図１】
2013218828.tif 000003
【図２】
2013218828.tif 000004
【図３】
2013218828.tif 000005
【図４】
2013218828.tif 000006
【図５】
2013218828.tif 000007
【図６】
2013218828.tif 000008